(57)【要約】【課題】分岐箇所を確定することができ、安価に製造することができるワイヤハーネスを提供する。【解決手段】ワイヤハーネス１０は、電線２０が挿通される屈曲可能な筒状のパイプ３０を備える。パイプ３０は、電線２０の分岐箇所と対応する位置に電線２０の引出口３１Ｂ、３２Ｂを有している。引出口３１Ｂ、３２Ｂは、パイプ３０を周方向に２分した第１分割体３１及び第２分割体３２のそれぞれの合わせ面３１Ａ、３２Ａに開口する形態になっている。引出口３１Ｂ、３２Ｂの口縁には、電線２０を保護する保護部としてのブッシュ５０が設けられている。【選択図】図２
2018107918.tif 000002
【特許請求の範囲】
【請求項１】
電線が挿通される屈曲可能な筒状のパイプを備え、
前記パイプは、前記電線の分岐箇所と対応する位置に前記電線の引出口を有していることを特徴とするワイヤハーネス。
【請求項２】
前記パイプが、合わせ面を介して周方向に２分される分割体で構成され、前記２分された分割体のうち、少なくとも一方の分割体が、前記合わせ面に開口する形態の前記引出口を有している請求項１記載のワイヤハーネス。
【請求項３】
前記２分された分割体が、前記合わせ面を突き合わせた状態で一体に固定されている請求項２記載のワイヤハーネス。
【請求項４】
前記引出口の口縁には、前記電線を保護する保護部が設けられている請求項１ないし３のいずれか１項記載のワイヤハーネス。 
【発明の詳細な説明】
【技術分野】
【０００１】
本発明は、ワイヤハーネスに関する。
【背景技術】
【０００２】
特許文献１に開示のワイヤハーネスは、複数の電線と、各電線を収容するプロテクタとを備えている。プロテクタは、合成樹脂で一体に成形された本体部を備えている。本体部は、底板部と、底板部の両端から立ち上がる一対の側壁部とからなる。底板部と一対の側壁部との間には、各電線を収容可能な空間が形成されている。一対の側壁部の先端部間となる本体部の開口は、合成樹脂で一体に成形された蓋部によって閉じられる。
【先行技術文献】
【特許文献】
【０００３】
【特許文献１】特開２０１５−１４６６７３号公報
【発明の概要】
【発明が解決しようとする課題】
【０００４】
ところで、分岐を有するワイヤハーネスにおいては、通常、各電線の電線束にテープが巻き付けられ、分岐箇所から支線が引き出される形態になることが多い。しかし、単にテープ巻きを施すだけでは、電線束が捩れるのを避けることができない。仮に、電線束が捩れると、分岐箇所が変動し、支線が対応する接続相手と正しく向き合わず、接続作業に迷いや誤りが生じてしまう。
【０００５】
これに対し、上記従来技術を適用すれば、電線束が捩れるのをプロテクタによって阻止することができ、分岐箇所を確定することができる。しかし、プロテクタに分岐用の構造を新設しなければならないため、プロテクタを成形する金型の構造が複雑になり、金型費が高くなるという問題がある。
【０００６】
本発明は上記のような事情に基づいて完成されたものであって、分岐箇所を確定することができ、安価に製造することができるワイヤハーネスを提供することを目的とする。
【課題を解決するための手段】
【０００７】
本発明のワイヤハーネスは、電線が挿通される屈曲可能な筒状のパイプを備え、前記パイプは、前記電線の分岐箇所と対応する位置に前記電線の引出口を有しているところに特徴を有する。
【発明の効果】
【０００８】
パイプを曲げ加工することで、電線の配索経路に対応することができる。また、パイプの引出口が電線の分岐位置になるため、分岐箇所を確定することができる。しかも、パイプであれば、従来の樹脂プロテクタを金型で成形する場合に比べ、複雑な金型構造が必要とされず、安価に製造することができる。
【図面の簡単な説明】
【０００９】
【図１】本発明の実施例１のワイヤハーネスにおけるパイプの分解斜視図である。
【図２】ワイヤハーネスの斜視図である。
【図３】ワイヤハーネスの平面図である。
【図４】パイプの正面図である。
【図５】図４のＡ−Ａ線断面図である。
【図６】第１分割体の正面図である。
【図７】第２分割体の正面図である。
【図８】ワイヤハーネスの使用例を示す斜視図である。
【図９】車両に配索されるワイヤハーネスの概念図である。
【発明を実施するための形態】
【００１０】
本発明の好ましい実施形態を以下に示す。
前記パイプが、合わせ面を介して周方向に２分される分割体で構成され、前記２分された分割体のうち、少なくとも一方の分割体が、前記合わせ面に開口する形態の前記引出口を有しているとよい。パイプが２分された分割体で構成されるため、一方の分割体に電線を沿わせた状態から両分割体を合体させることができ、円筒状のパイプに電線を通す作業を行う必要がなく、配索作業性に優れる。また、引出口が少なくとも一方の分割体の合わせ面に開口する形態であるため、分割体の製造加工も容易になる。
【００１１】
前記２分された分割体が、前記合わせ面を突き合わせた状態で一体に固定されているとよい。これによれば、パイプが不用意に開放され、電線が損傷する事態を防止することができる。なお、一体に固定する固定手段としては、溶接、ろう付け、接着材等が挙げられる。
【００１２】
前記引出口の口縁には、前記電線を保護する保護部が設けられているとよい。これにより、引出口の口縁に形成され得るエッジから電線を保護することができる。
【００１３】
＜実施例１＞
以下、実施例１を図面に基づいて説明する。本実施例１のワイヤハーネス１０は、複数の電気機器をつなぐように配索されるものであり、例えば、図８及び図９に示すように、車両９０のエンジンルーム内に配索され、ジャンクションボックス９１とエンジン９２の駆動制御を行う複数の制御部９３とを電気的に接続する場合に適用されるものである。このワイヤハーネス１０は、複数の電線２０と、各電線２０が挿通される長尺筒状のパイプ３０とを備えて構成される。
【００１４】
各電線２０は、比較的小電流が流れる低圧電線とされ、複数の芯線と各芯線の周囲を被覆する絶縁被覆とからなる。図１に示すように、各電線２０の長さ方向途中の複数箇所は、幹線２１から支線２２が分岐される分岐箇所になっている。各電線２０の幹線２１の端部及び支線２２の端部にはそれぞれコネクタ８０Ａ、８０Ｂが接続されている。図８に示すように、支線２２の端部に接続されたコネクタ８０Ｂは、例えば、エンジン９２側のそれぞれに対応する制御部９３に嵌合して接続される。
【００１５】
パイプ３０は、アルミニウム又はアルミニウム合金等からなる金属製の筒状部材であって、内部に挿通される各電線２０を保護するに足る剛性を有している。このパイプ３０は、各電線２０の配索経路に沿うように、細長く延出するとともに、長さ方向の適宜個所で折り曲げ可能な形態になっている。パイプ３０の全長は、各電線２０の幹線２１の全長より短く、幹線２１の端部は、パイプ３０の端部から外部に突出して配置される。
【００１６】
図１及び図２に示すように、パイプ３０は、周方向に２分されて対をなす第１分割体３１及び第２分割体３２によって構成される。第１分割体３１は、パイプ３０の上側に位置してパイプ３０の上半部を形成し、第２分割体３２は、パイプ３０の下側に位置してパイプ３０の下半部を形成している。図５に示すように、第１分割体３１及び第２分割体３２は、相互の周方向端部の合わせ面３１Ａ、３２Ａを突き合わせて円筒状に合体される。
【００１７】
第１分割体３１は、断面半円弧状をなし、パイプ３０の上側の半周にわたる周長を有している。図６に示すように、第１分割体３１の合わせ面３１Ａは、後述する引出口３１Ｂが開口する部分を除いて、パイプ３０の全長にわたって同一高さで連なり、実質的に凹凸の無い平坦面になっている。第１分割体３１の周方向両側の合わせ面３１Ａのうち、一方の合わせ面３１Ａには、断面半円状に切欠された形態の引出口３１Ｂが開設されている。引出口３１Ｂは、各電線２０の支線２２の分岐箇所と対応するように、第１分割体３１の長さ方向に間隔をあけた複数位置に設置されている。
【００１８】
第２分割体３２は、第１分割体３１と同様、断面半円弧状をなし、パイプ３０の下側の半周にわたる周長を有している。図７に示すように、第２分割体３２の合わせ面３２Ａも、第１分割体３１の合わせ面３１Ａと同様であって、後述する引出口３２Ｂの開口部分を除いて同一高さで連なる凹凸の無い平坦面になっている。
【００１９】
第２分割体３２の一方の合わせ面３２Ａには、断面半円状の引出口３２Ｂが開設され、引出口３２Ｂは、第１分割体３１の引出口３１Ｂと対応する位置にあって、第１分割体３１及び第２分割体３２の合体時に、第１分割体３１の引出口３１Ｂと周方向に連続して円形開口（以下、円形の引出口３１Ｂ、３２Ｂと称する。）を形成するようになっている。
【００２０】
図５に示すように、第２分割体３２の周方向両端部には、この周方向両端部の内周面から径方向内側に突出し且つ第１分割体３１の位置する上側に突出する一対のリブ３３が設けられている。両リブ３３は、断面半円状をなし、このうち、一方のリブ３３がパイプ３０の長さ方向途中の各引出口３２Ｂと対応する位置において切欠された形態になっている。
【００２１】
リブ３３は、合わせ面３２Ａの径方向内端から上下方向にほぼ沿うように起立する起立面３４と、パイプ３０内の空間に湾曲状に突出する曲面３５とを有している。合わせ面３２Ａと起立面３４とで断面略Ｌ字状の嵌合凹所３６が区画されている。第１分割体３１及び第２分割体３２の合体時には、第２分割体３２の嵌合凹所３６に、第１分割体３１の周方向端部が嵌合して径方向に位置決め保持されるようになっている。
【００２２】
第１分割体３１及び第２分割体３２の円形の引出口３１Ｂ、３２Ｂには、各電線２０を保護する保護部としての合成樹脂製又はゴム製のブッシュ５０が取り付けられている。ブッシュ５０は円環状をなし、中心部に円形の孔５１が開口している。各電線２０の支線２２は、ブッシュ５０の孔５１を通して引き出される。このため、各電線２０の支線２２が引出口３１Ｂ、３２Ｂの口縁に形成され得るエッジに接触することはなく、電線２０が損傷する事態を回避することができる。
【００２３】
次に、本実施例１のワイヤハーネス１０の製造方法について説明する。
まず、直線状の第２分割体３２に、その第２分割体３２の長さ方向に沿って各電線２０が載せられる。続いて、各電線２０の分岐箇所から支線２２が引き出され、支線２２を構成する各電線２０の周囲にブッシュ５０が嵌挿される。その状態で、幹線２１の端部及び各支線２２の端部に、それそれに対応するコネクタ８０Ａ、８０Ｂが接続される（図１を参照）。
【００２４】
続いて、第２分割体３２の合わせ面３２Ａに第１分割体３１の合わせ面３１Ａが載置される（図２を参照）。このとき、第１分割体３１の周方向端部が嵌合凹所３６に嵌合され、第１分割体３１の周方向端部の内面がリブ３３の起立面３４に沿って配置される（図５を参照）。これにより、第１分割体３１及び第２分割体３２が周方向に連続して円筒状に形成されるとともに、第１分割体３１と第２分割体３２との間にブッシュ５０を挟んで円形の引出口３１Ｂ、３２Ｂが形成される。また、各電線２０の幹線２１が円筒状のパイプ３０内に収容されて保護されるとともに、支線２２が引出口３１Ｂ、３２Ｂ及びブッシュ５０の孔５１から引き出されて外部に配置される。ここで、各電線２０の幹線２１はリブ３３と干渉するとしても曲面３５に接触するため、傷付くおそれは少ない。
【００２５】
次いで、上記によって直線状に形成された円筒状のパイプ３０が図示しないベンダー機で曲げ加工される。この場合、車両９０の配索経路に応じて、パイプ３０の引出口３１Ｂ、３２Ｂを除く適宜箇所（一箇所又は複数箇所）を曲げることができる。これにより、図８に示すように、パイプ３０に屈曲部３７が形成されることとなり、ワイヤハーネス１０が屈曲部３７を介して二次元又は三次元状に配索される。
【００２６】
以上説明したように、本実施例１によれば、パイプ３０を曲げ加工することで、電線２０の配索経路に対応することができる。また、パイプ３０の引出口３１Ｂ、３２Ｂが電線２０の分岐位置になるため、分岐箇所を適正に確定することができる。しかも、パイプ３０であれば、従来の樹脂プロテクタを金型で成形する場合に比べ、複雑な金型構造が必要とされず、安価に製造することができる。
【００２７】
また、合わせ面３１Ａ、３２Ａを介して周方向に２分された第１分割体３１及び第２分割体３２のそれぞれの周方向端部に引出口３１Ｂ、３２Ｂが開口する形態になっているため、製造加工が容易であるとともに、筒孔に電線２０を通す作業を行う必要がなく、作業性を改善することができる。
【００２８】
さらに、第１分割体３１及び第２分割体３２が合わせ面３１Ａ、３２Ａを突き合わせた状態で溶接等して一体に固定されているため、パイプ３０が不用意に開放され、電線２０が傷付けられる事態を防止することができる。
【００２９】
さらにまた、引出口３１Ｂ、３２Ｂの口縁には、電線２０を保護する保護部としてのブッシュ５０が設けられるため、引出口３１Ｂ、３２Ｂの口縁に形成され得るエッジから電線２０を保護することができる。
【００３０】
＜他の実施例＞
以下、他の実施例を簡単に説明する。
（１）引出口は、第１分割体及び第２分割体のうちの一方のみに設けられるものであってもよい。この場合に、引出口は、第１分割体の周方向途中に切れ目なく連続するループ開口として設けられていてもよい。
（２）引出口の口縁をバリ取りすることで、引出口の口縁からエッジを取り除き、電線の保護部となすものであってもよい。
（３）リブが第２分割体ではなく第１分割体に設けられるものであってもよい。
（４）リブが第１分割体及び第２分割体のいずれにも設けられないものであってもよい。この場合、第１分割体及び第２分割体を同一の形状にすることができる。
（５）パイプが全体として一体に形成され、引出口が穿設されるものであってもよい。
【符号の説明】
【００３１】
１０…ワイヤハーネス
２０…電線
３０…パイプ
３１…第１分割体
３１Ａ、３２Ａ…合わせ面
３１Ｂ、３２Ｂ…引出口
３２…第２分割体
５０…ブッシュ（保護部）
【図１】
2018107918.tif 000003
【図２】
2018107918.tif 000004
【図３】
2018107918.tif 000005
【図４】
2018107918.tif 000006
【図５】
2018107918.tif 000007
【図６】
2018107918.tif 000008
【図７】
2018107918.tif 000009
【図８】
2018107918.tif 000010
【図９】
2018107918.tif 000011